【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
第１の薄膜トランジスタを有する第１の画素及び第２の薄膜トランジスタを有する第２の画素を有する画素群と、
前記第１及び第２の薄膜トランジスタのゲートに駆動信号を供給するゲート線と、
前記ゲート線と平行に前記第１の画素の一端に沿って配置された第１の補助容量線と、
前記ゲート線と平行に前記第１の補助容量線とは反対側に前記第１の画素の他端に沿って配置された第２の補助容量線と、
前記第１の画素中に設けられ、前記第１の薄膜トランジスタの一端と前記第１の補助容量線との間に接続された第１の補助容量と、
前記第２の画素中に設けられ、前記第２の薄膜トランジスタの一端と前記第２の補助容量線との間に接続された第２の補助容量と、
を有すること特徴とする液晶表示装置。
【請求項２】
前記第１の画素と前記第２の画素とは、交互に配列されていることを特徴とする請求項１記載の液晶表示装置。
【請求項３】
前記第１の補助容量は、前記第１の画素と前記第１の画素に隣接する画素との境界部に沿って形成され、
前記第２の補助容量は、前記第２の画素と前記第２の画素に隣接する画素との境界部に沿って形成されていることを特徴とする請求項１記載の液晶表示装置。
【請求項４】
前記第１の補助容量線は第１の突起部及び第２の突起部を有しており、前記第１の補助容量は、前記第１の薄膜トランジスタの第１の半導体層、前記第１の突起部及び前記第１の半導体層と前記第１の突起部との間に挟まれる絶縁体でなる容量と、前記第１の半導体層、前記第２の突起部及び前記第１の半導体層と前記第２の突起部との間に挟まれる絶縁体でなる容量とを有し、
前記第２の補助容量線は第３の突起部及び第４の突起部を有しており、前記第２の補助容量は、前記第２の薄膜トランジスタの第２の半導体層、前記第３の突起部及び前記第２の半導体層と前記第３の突起部との間に挟まれる絶縁体でなる容量と、前記第２の半導体層、前記第４の突起部及び前記第２の半導体層と前記第４の突起部との間に挟まれる絶縁体でなる容量とを有していることを特徴とする請求項１記載の液晶表示装置。
【請求項５】
前記第１の補助容量線は第１の突起部及び第２の突起部を有しており、前記第１の補助容量は、前記第１の画素の第１の画素電極、前記第１の突起部及び前記第１の画素電極と前記第１の突起部との間に挟まれる絶縁体でなる容量と、前記第１の画素電極、前記第２の突起部及び前記第１の画素電極と前記第２の突起部との間に挟まれる絶縁体でなる容量とを有し、
前記第２の補助容量線は第３の突起部及び第４の突起部を有しており、前記第２の補助容量は、前記第１の画素の第２の画素電極、前記第３の突起部及び前記第２の画素電極と前記第３の突起部との間に挟まれる絶縁体でなる容量と、前記第２の画素電極、前記第４の突起部及び前記第２の画素電極と前記第４の突起部との間に挟まれる絶縁体でなる容量とを有していることを特徴とする請求項１記載の液晶表示装置。
【請求項６】
前記ゲート線に、所定の周期のゲート駆動信号を供給するとともに、前記第１の補助容量線に前記ゲート駆動信号と同期した第１の信号を供給し、前記第２の補助容量線に前記第１の信号と逆相の第２の信号を供給する駆動回路を有することを特徴とする請求項１記載の液晶表示装置。
【請求項７】
所定方向に沿って配列された複数の画素と、
前記複数の画素上に配置され、それぞれの画素に対応するカラーフィルタと、
前記カラーフィルタの隣接する境界部に対応して形成された複数の遮光部と、
それぞれが、対応する前記複数の遮光部の下に形成された複数の補助容量と、
を具備することを特徴とする液晶表示装置。
【請求項８】
前記複数の画素は、それぞれが、当該画素を駆動する複数の薄膜トランジスタを有し、
前記複数の薄膜トランジスタのゲートは、前記複数の画素の中心軸を貫通するゲート線に接続され、
さらに、前記ゲート線に平行し、前記複数の画素の一端に沿って形成された、第１の補助容量線と、
前記ゲート線に平行し、前記第１の補助容量線の反対側の前記複数の画素の他端に沿って形成された、第２の補助容量線とを有し、
前記複数の補助容量は、それぞれ対応する画素の前記薄膜トランジスタの一端と前記第１の補助容量線との間に接続された複数の第１の補助容量と、それぞれ対応する画素の前記複数のトランジスタの一端と前記第２の補助容量線との間に接続された複数の第２の補助容量とから構成される
ことを特徴とする請求項7記載の液晶表示装置。
【請求項９】
前記複数の第１の補助容量と前記複数の第２の補助容量とは、それぞれ、前記所定方向に沿って交互に配置されていることを特徴とする請求項８記載の液晶表示装置。
【請求項１０】
前記ゲート線に、所定の周期のゲート駆動信号を供給するとともに、前記第１の補助容量線に前記ゲート駆動信号と同期した第１の信号を供給し、前記第２の補助容量線に前記第１の信号と逆相の第２の信号を供給する駆動回路を有することを特徴とする請求項８記載の液晶表示装置。
【請求項１１】
前記複数の第１の補助容量と、前記複数の第２の補助容量とは、ほぼ同一のキャパシタンスを有することを特徴とする請求項記載の液晶表示装置。
【請求項１２】
所定方向に沿って配列され、各々が薄膜トランジスタを有する複数の画素と、
前記複数の画素の各薄膜トランジスタのゲートに駆動信号を供給するゲート線と、
前記ゲート線と平行に配置された補助容量線と、
前記補助容量線に、第１、第２、第３及び第４の電圧（ただし、第１の電圧＞第２の電圧＞第３の電圧＞第４の電圧）を供給する駆動回路と、を具備し、
前記駆動回路は、前記第３の電圧、前記第４の電圧、第２の電圧、第１の電圧の順に繰り返し前記補助容量線に供給することを特徴とする液晶表示装置。
【請求項１３】
前記駆動回路は、前記第４の電圧又は前記第１の電圧を供給している時に、前記ゲート線に駆動電圧を印加して前記各薄膜トランジスタを導通させ、
前記駆動回路は、前記第３の電圧、前記第１の電圧、第２の電圧、第４の電圧の順に繰り返し前記補助容量線に供給し、
前記駆動回路は、前記第３の電圧又は前記第２の電圧を供給している時に、前記ゲート線に駆動電圧を印加して前記各薄膜トランジスタを導通させることを特徴とする請求項１２記載の液晶表示装置。
【請求項１４】
前記駆動回路は、前記ゲート線の前記駆動電圧の印加が終了した直後に前記第１の電圧又は前記第４の電圧を印加することを特徴とする請求項１３記載の液晶表示装置。
【請求項１５】
所定方向に沿って配列され、各々が薄膜トランジスタを有する複数の画素と、
前記複数の画素の各薄膜トランジスタのゲートに駆動信号を供給する、前記複数の画素の中心部に配置されたゲート線と、
前記ゲート線と平行に、前記複数の画素の一端に沿って配置された第１の補助容量線と、
前記ゲート線と平行に、前記第１の補助容量線とは反対側に、前記複数の画素の他端に沿って配置された第２の補助容量線と、
前記複数の画素のうちの第１群の画素中に設けられ、当該画素にある薄膜トランジスタの一端子と前記第１の補助容量線間に接続された複数の第１の補助容量と、
前記複数の画素のうちの第２群の画素中に設けられ、当該画素にある薄膜トランジスタの一端子と前記第２の補助容量線間に接続された複数の第２の補助容量と、
前記第１の補助容量線及び前記第２の補助容量線に、第１、第２、第３及び第４の電圧（ただし、第１の電圧＞第２の電圧＞第３の電圧＞第４の電圧）を供給する駆動回路と、を具備し、
前記駆動回路は、前記第１、第２、第３及び第４の電圧を発生する電圧発生回路と、前記第１、第２、第３及び第４の電圧を前記第１の補助容量線に順に供給する第１のスイッチ群と、前記第１、第２、第３及び第４の電圧を前記第２の補助容量線に順に供給する第２のスイッチ群とを具備することを特徴とする液晶表示装置。
【手続補正２】
【補正対象書類名】明細書
【補正対象項目名】００１７
【補正方法】変更
【補正の内容】
【００１７】
本発明の一実施形態によると、所定方向に沿って配列され、各々が薄膜トランジスタを有する複数の画素と、前記複数の画素の各薄膜トランジスタのゲートに駆動信号を供給するゲート線と、前記ゲート線と平行に配置された補助容量線と、前記補助容量線に、第１、第２、第３及び第４の電圧（ただし、第１の電圧＞第２の電圧＞第３の電圧＞第４の電圧）を供給する駆動回路と、を具備し、前記駆動回路は、前記第３の電圧、前記第４の電圧、第２の電圧、第１の電圧の順に繰り返し前記補助容量線に供給するようにしてもよい。
【手続補正３】
【補正対象書類名】明細書
【補正対象項目名】００１８
【補正方法】削除
【補正の内容】
【手続補正４】
【補正対象書類名】明細書
【補正対象項目名】００１９
【補正方法】変更
【補正の内容】
【００１９】
前記駆動回路は、前記第４の電圧又は前記第１の電圧を供給している時に、前記ゲート線に駆動電圧を印加して前記各薄膜トランジスタを導通させ、前記駆動回路は、前記第３の電圧、前記第１の電圧、第２の電圧、第４の電圧の順に繰り返し前記補助容量線に供給し、前記駆動回路は、前記第３の電圧又は前記第２の電圧を供給している時に、前記ゲート線に駆動電圧を印加して前記各薄膜トランジスタを導通させるようにしてもよい。
【手続補正５】
【補正対象書類名】明細書
【補正対象項目名】００２０
【補正方法】削除
【補正の内容】
【手続補正６】
【補正対象書類名】明細書
【補正対象項目名】００２１
【補正方法】削除
【補正の内容】
【手続補正７】
【補正対象書類名】明細書
【補正対象項目名】００２３
【補正方法】変更
【補正の内容】
【００２３】
本発明の一実施形態によると、所定方向に沿って配列され、各々が薄膜トランジスタを有する複数の画素と、前記複数の画素の各薄膜トランジスタのゲートに駆動信号を供給する、前記複数の画素の中心部に配置されたゲート線と、前記ゲート線と平行に、前記複数の画素の一端に沿って配置された第１の補助容量線と、前記ゲート線と平行に、前記第１の補助容量線とは反対側に、前記複数の画素の他端に沿って配置された第２の補助容量線と、前記複数の画素のうちの第１群の画素中に設けられ、当該画素にある薄膜トランジスタの一端子と前記第１の補助容量線間に接続された複数の第１の補助容量と、前記複数の画素のうちの第２群の画素中に設けられ、当該画素にある薄膜トランジスタの一端子と前記第２の補助容量線間に接続された複数の第２の補助容量と、前記第１の補助容量線及び前記第２の補助容量線に、第１、第２、第３及び第４の電圧（ただし、第１の電圧＞第２の電圧＞第３の電圧＞第４の電圧）を供給する駆動回路と、を具備し、前記駆動回路は、前記第１、第２、第３及び第４の電圧を発生する電圧発生回路と、前記第１、第２、第３及び第４の電圧を前記第１の補助容量線に順に供給する第１のスイッチ群と、前記第１、第２、第３及び第４の電圧を前記第２の補助容量線に順に供給する第２のスイッチ群とを具備することを特徴とする液晶表示装置が提供される。
【手続補正８】
【補正対象書類名】明細書
【補正対象項目名】００２４
【補正方法】削除
【補正の内容】